(57)【要約】【課題】２変調光学系のいずれの光学変調素子の画素数をも増加させずに、画素数より高い解像度の画像表示が行うことが可能な画像表示装置及びプロジェクタを提供する。【解決手段】本発明の画像表示装置は、色変調用第１光学変調素子と、輝度変調用第２光学変調素子を画素単位で光学的に直列配置し、画素数又は画素数の倍の解像度で、入力画像信号の画像表示を行うものであり、第1光学変調素子を制御する第1光学変調素子駆動部と、第2の光学変調素子の駆動制御する第2光学変調素子駆動部と、解像度を倍とした画像表示の際、第1及び第2光学変調素子の画素を横又は縦方向に半画素ずらす光学系制御部と、解像度を倍とし画像表示する際、光学変調素子を倍速で駆動し、1フレームを時間軸で第1と第2フレームに分割し、第1フレームで半画素の領域に1画素分を画像表示させ、第2フレームで残りの半画素領域に他の1画素分を画像表示させる信号処理部とを有する。【選択図】図２
2007241097.tif 000002
【特許請求の範囲】
【請求項１】
色変調を行う第１の光学変調素子と、輝度変調を行う第２の光学変調素子とを画素単位にて光学的に直列に配置し、入力される画像信号に対応して、画素数の解像度または画素数の倍の解像度にて画像表示を行う２変調光学系の画像表示装置であって、
第１の光学変調素子の駆動を制御する第１の光学変調素子駆動部と、
第２の光学変調素子の駆動を制御する第２の光学変調素子駆動部と、
解像度を倍にして画像を表示する際、第１の光学変調素子の画素と、第２の光学変調素子の画素とを横または縦方向に半画素分ずらす光学系制御部と、
解像度を倍にして画像を表示する際、それぞれの光学変調素子を倍速にて駆動させ、１フレームを時間軸にて第１フレームと第２フレームとに２分割し、第１フレームにて半画素の領域に１画素分の画像を表示させ、第２フレームにて残りの半画素の領域に他の１画素分の画像を表示させるよう、前記第１及び第２の光学変調素子駆動部を制御する信号処理部と  を有することを特徴とする画像表示装置。
【請求項２】
前記光学系制御部が、ウォブリング素子により、第２の光学変調素子の各画素に対して、第１の光学変調素子の対応する各画素を半画素ずらすことを特徴とする請求項１記載の画像表示装置。
【請求項３】
前記光学系制御部が、高輝度表示を行う制御信号が入力された場合、第１の光学変調素子の各画素と、第２の光学変調素子の対応する各画素の位置を合わせ、高解像度表示を行う制御信号が入力された場合、第１の光学変調素子の各画素と、第２の光学変調素子の対応する各画素を半画素ずらすことを特徴とする請求項１または請求項２に記載の画像表示装置。
【請求項４】
前記信号処理部が、第２の光学変調素子において、第１フレーム期間に、画素をずらす方向に隣接する画素の一方に黒挿入し、第２フレーム期間に隣接する画素の他方に黒挿入することを特徴とする請求項１から請求項３のいずれかに記載の画像表示装置。
【請求項５】
輝度変調を行う第１の光学変調素子と、色変調を行う第２の光学変調素子とを画素単位にて光学的に直列に配置し、入力される画像信号に対応して、画素数の倍の解像度にて画像表示を行う２変調光学系の画像表示装置であって、
第１の光学変調素子の駆動を制御する第１の光学変調素子駆動部と、
第２の光学変調素子の駆動を制御する第２の光学変調素子駆動部と、
前記第１の光学変調素子の各画素と、前記第２の光学変調素子の画素とは、横または縦方向に半画素分ずれて配置されており、
前記第１および第２の光学変調素子を倍速にて駆動させ、１フレームを時間軸にて第１フレームと第２フレームとに２分割し、第１フレームにて半画素の領域に１画素分の画像を表示させ、第２フレームにて残りの半画素の領域に他の１画素分の画像を表示させるよう、前記第１及び第２の光学変調素子駆動部を制御する信号処理部と
を有することを特徴とする画像表示装置。
【請求項６】
請求項１から請求項５のいずれかの画像表示装置に投写光学系を設けて構成したことを特徴とするプロジェクタ。
【発明の詳細な説明】
【技術分野】
【０００１】
本発明は、画像表示装置及びプロジェクタに関する。
【背景技術】
【０００２】
近年、ＬＣＤ（Liquid Crystal Display），ＥＬ（Electroluminescence Display）、ＣＲＴ（Cathode Ray Tube）や投写型表示装置等の電子ディスプレイ装置における画質改善は目覚ましく、解像度色域については人間の視覚特性にほぼ匹敵する性能を有する装置が実現されつつある。
しかし、輝度ダイナミックレンジに関しては、その再現範囲はたかだか１〜１０２［nit］程度の範囲であり、また階調度を表現するビット数も８ビットが一般に用いられている。
一方、人間の視覚は、一度に知覚し得る輝度ダイナミックレンジの範囲が１０−２〜１０４［nit］程度あり、また輝度弁別能力が０．２［nit］であり、この輝度弁別能力に対応させて、輝度ダイナミックレンジの範囲を階調数に換算すると、ほぼ１２ビット相当のデータ量が必要となると言われている。
【０００３】
上述したような視覚特性を経由し、現在の電子ディスプレイ装置の表示画像を見た場合、輝度ダイナミックレンジの狭さが目立ち、加えてシャドウ部やハイライ卜部の階調の分解能が不足しているため、表示画像のリアリティーや迫力に対して物足りなさを感じることとなる。
また、映画やゲーム等で使用されるＣＧ（Computer Graphics）の画像においては、人間の視覚に近い輝度ダイナミックレンジや階調特性をデータに持たせて描写のリアリティーを追求する動きが主流になりつつある。
【０００４】
しかし、電子ディスプレイ装置の性能が、不足しているために、上記ＣＧコンテンツの画像を表示する際、ＣＧコンテンツが本来有する画像の表現力（階調を表現するビット数が多い）を充分に発揮することができないという課題がある。
さらに、次期Windows（登録商標）においては、１６ビット色空間の採用が予定されており、現在の８ビット色空間と比較してダイナミックレンジや階調数が飛躍的に増大する。  そのため、ＣＧコンテンツにおける１６ビット色空間を充分に生かすことが出来る高ダイナミックレンジ・高階調の電子ディスプレイ装置の実現への要求が高まると考えられる。
【０００５】
電子ディスプレイ装置の中においても、液晶プロジェクタ、ＤＬＰ（登録商標）（Digital Light Processing）プロジェクタといった投写型の画像表示装置は、大型画面での画像表示が可能であり、表示される画像のリアリティや迫力を再現する上で効果的な画像表示装置である。
この電子ディスプレイ装置においては、上述した輝度ダイナミックレンジの範囲を広げるために各種の考案がなされている。
【０００６】
例えば、２変調光学変調系における２つの光学変調素子の一方の光学変調素子の画素数のみを増加させ、時間的な表示処理を組み合わせることにより、最終的な表示結果としては画素数の多い方の光学変調素子の画素数に対応した分解能により、高解像度の表示を実現している（例えば、特許文献１参照）。
【特許文献１】特開２００５−２５０２３５号公報
【発明の開示】
【発明が解決しようとする課題】
【０００７】
しかしながら、上記特許文献１に記載された表示装置は、一方の光学変調素子の画素数を多い構成を用いるため、装置の製造コストが増加するという問題がある。
本発明は、このような事情に鑑みてなされたもので、２変調光学系のいずれの光学変調素子の画素数をも増加させずに、画素数より高い解像度の画像表示が行うことが可能な画像表示装置及びプロジェクタを提供することを目的とする。
【課題を解決するための手段】
【０００８】
本発明の画像表示装置は、色変調を行う第１の光学変調素子と、輝度変調を行う第２の光学変調素子とを画素単位にて光学的に直列に配置し、入力される画像信号に対応して、画素数の解像度または画素数の倍の解像度にて画像表示を行う２変調光学系の画像表示装置であって、第１の光学変調素子の駆動を制御する第１の光学変調素子駆動部と、第２の光学変調素子の駆動を制御する第２の光学変調素子駆動部と、解像度を倍にして画像を表示する際、第１の光学変調素子の画素と、第２の光学変調素子の画素とを横または縦方向に半画素分ずらす光学系制御部と、解像度を倍にして画像を表示する際、それぞれの光学変調素子を倍速にて駆動させ、１フレームを時間軸にて第１フレームと第２フレームとに２分割し、第１フレームにて半画素の領域に１画素分の画像を表示させ、第２フレームにて残りの半画素の領域に他の１画素分の画像を表示させるよう、前記第１及び第２の光学変調素子駆動部を制御する信号処理部とを有することを特徴とする。
また、本発明の画像表示装置は、輝度変調を行う第１の光学変調素子と、色変調を行う第２の光学変調素子とを画素単位にて光学的に直列に配置し、入力される画像信号に対応して、画素数の倍の解像度にて画像表示を行う２変調光学系の画像表示装置であって、第１の光学変調素子の駆動を制御する第１の光学変調素子駆動部と、第２の光学変調素子の駆動を制御する第２の光学変調素子駆動部と、前記第１の光学変調素子の各画素と、前記第２の光学変調素子の画素とは、横または縦方向に半画素分ずれて配置されており、前記第１および第２の光学変調素子を倍速にて駆動させ、１フレームを時間軸にて第１フレームと第２フレームとに２分割し、第１フレームにて半画素の領域に１画素分の画像を表示させ、第２フレームにて残りの半画素の領域に他の１画素分の画像を表示させるよう、前記第１及び第２の光学変調素子駆動部を制御する信号処理部とを有する。
上述した構成により、本発明の画像表示装置は、第１の光学変調素子及び第２の光学変調素子各々の画素数を増加させずに、すなわち製造コストを増加させずに、簡易な構成により解像度を増加させることが可能となる。
【０００９】
本発明の画像表示装置は、前記光学系制御部が、ウォブリング素子により、第２の光学変調素子の各画素に対して、第１の光学変調素子の対応する各画素を半画素ずらすことを特徴とする。
上述した構成により、本発明の画像表示装置は、例えば、強誘電性液晶と水晶板を組み合わせたウォブリング素子を用い、第１の光学変調素子と第２の光学変調素子とにおいて、一方の画素に対して他方の画素が半画素分ずれるように、光軸をずらすことにより、簡易に解像度を２倍に向上させることができる。
【００１０】
本発明の画像表示装置は前記光学系制御部が、高輝度表示を行う制御信号が入力された場合、第１の光学変調素子の各画素と、第２の光学変調素子の対応する各画素の位置を合わせ、高解像度表示を行う制御信号が入力された場合、第１の光学変調素子の各画素と、第２の光学変調素子の対応する各画素を半画素ずらすことを特徴とする。
上述した構成により、本発明の画像表示装置は、２変調光学系の特徴を活かす高輝度モードと、解像度が２倍の高解像度モードとを制御信号により切り替えることができ、利用者の用途に合わせた画質を、１台の装置により提供することができる。
【００１１】
本発明の画像表示装置は、前記信号処理部が、第２の光学変調素子において、第１フレーム期間に、画素をずらす方向に隣接する画素の一方に黒挿入し、第２フレーム期間に隣接する画素の他方に黒挿入することを特徴とする。
上述した構成により、本発明の画像表示装置は、第１フレームと第２フレームとにおいて、各々のフレームにおける半画素ずつ重なる部分をマスクすることができ、ずらすのみの構成においても、隣接する画素間における干渉が無く、高解像度のモードにおいても画質の低下を抑制することができる。
【００１２】
本発明のプロジェクタは、上記記載のいずれかの画像表示装置に投写光学系を設けて構成したことを特徴とする。
上述した構成により、本発明の画像表示装置は、第１の光学変調素子及び第２の光学変調素子各々の画素数を増加させずに、すなわち製造コストを増加させずに、簡易な構成により解像度を増加させることが可能となる。
【発明を実施するための最良の形態】
【００１３】
以下、本発明の一実施形態による画像表示装置を用いたプロジェクタを図面を参照して説明する。図１は同実施形態の構成を示すブロック図である。
なお、本実施の形態では、第１光変調手段としてＲ（赤）、Ｇ（緑）、Ｂ（青）の異なる色光毎に透過型液晶ライトバルブを備え、第２光変調手段として１枚の液晶ライトバルブを用いた投写型液晶表示装置の例を挙げて説明する。また、以下の説明においては、第１光変調手段を色変調用ライトバルブ、第２光変調手段を輝度変調用液晶ライトバルブと称する。さらに、以下の説明に用いる各図面では、各部材を認識可能な大きさとするため、各部材の縮尺を適宜変更している。
【００１４】
図１は、本発明の画像表示装置及び本発明のプロジェクタの実施の形態の一例であり、プロジェクタＰＪ１の主たる光学構成を示す図である。
プロジェクタＰＪ１は、図１に示すように、光源１０と、光源１０から入射した光の輝度分布を均一化する均一照明系２０と、均一照明系２０から入射した光の波長領域のうちのＲＧＢ３原色の輝度をそれぞれ変調する色変調部２５（第１光変調手段としての３つの透過型液晶ライトバルブ６０Ｂ，６０Ｇ，６０Ｒを含む）と、色変調部２５から入射した光をリレーするリレーレンズ９０と、後述する能動光学画素ずらし素子９５と、リレーレンズ９０から入射した光の全波長領域の輝度を変調する第２光変調手段としての透過型液晶ライトバルブ１００と、液晶ライトバルブ１００から入射した光をスクリーン（不図示）に投射する投射レンズ１１０と、を含んで構成されている。
【００１５】
光源１０は、超高圧水銀ランプやキセノンランプ等からなるランプ１１と、ランプ１１からの射出光を反射・集光するリフレクタ１２とを含んで構成されている。
【００１６】
均一照明系２０は、フライアイレンズ等からなる２つのレンズアレイ２１，２２と、偏光変換素子２３と、集光レンズ２４とを含んで構成されている。そして、光源１０からの光の輝度分布を２つのレンズアレイ２１，２２により均一化し、レンズアレイを透過した光を偏光変換素子２３により色変調部の入射可能偏光方向に偏光し、偏光した光を集光レンズ２４により集光して色変調部２５に射出する。なお、偏光変換素子２３は、例えば、ＰＢＳアレイと、１／２波長板とで構成されており、ランダム偏光を特定の直線偏光に変換するものである。
【００１７】
色変調部２５は、光分離手段としての２つのダイクロイックミラー３０，３５と、３つのミラー（反射ミラー３６，４５，４６）と、５つのフィールドレンズ（レンズ４１、リレーレンズ４２、平行化レンズ５０Ｂ，５０Ｇ，５０Ｒ）と、３つの液晶ライトバルブ６０Ｂ，６０Ｇ，６０Ｒと、クロスダイクロイックプリズム７０と、を含んで構成されている。
【００１８】
ダイクロイックミラー３０，３５は、光源１０からの光（白色光）を、赤（Ｒ）、緑（Ｇ）、青（Ｂ）のＲＧＢ３原色光に分離（分光）するものである。ダイクロイックミラー３０は、ガラス板等にＢ光及びＧ光を反射し、Ｒ光を透過する性質のダイクロイック膜を形成したもので、光源１０からの白色光に対して、当該白色光に含まれるＢ光及びＧ光を反射し、Ｒ光を透過する。ダイクロイックミラー３５は、ガラス板等にＧ光を反射し、Ｂ光を透過する性質のダイクロイック膜を形成したもので、ダイクロイックミラー３０を反射したＧ光及びＢ光のうち、Ｇ光を反射して平行化レンズ５０Ｇに伝達し、青色光を透過してレンズ４１に伝達する。
【００１９】
リレーレンズ４２は、レンズ４１近傍の光（光強度分布）を平行化レンズ５０Ｂ近傍に伝達するもので、レンズ４１はリレーレンズ４２に光を効率よく入射させる機能を有する。レンズ４１に入射したＢ光はその強度分布をほぼ保存された状態で、かつ光損失を殆ど伴うことなく空間的に離れた液晶ライトバルブ６０Ｂに伝達される。
【００２０】
平行化レンズ５０Ｂ，５０Ｇ，５０Ｒは、対応する液晶ライトバルブ６０Ｂ，６０Ｇ，６０Ｒに入射する各色光を略平行化して、液晶ライトバルブ６０Ｂ，６０Ｇ，６０Ｒを透過した光を効率良くリレーレンズ９０に入射させる機能を有している。そして、ダイクロイックミラー３０，３５で分光されたＲＧＢ３原色の光は、上述したミラー（反射ミラー３６，４５，４６）及びレンズ（レンズ４１、リレーレンズ４２、平行化レンズ５０Ｂ，５０Ｇ，５０Ｒ）を介して液晶ライトバルブ６０Ｂ，６０Ｇ，６０Ｒに入射する。
【００２１】
液晶ライトバルブ６０Ｂ，６０Ｇ，６０Ｒは、画素電極及びこれを駆動するための薄膜トランジスタ素子や薄膜ダイオード等のスイッチング素子がマトリクス状に形成されたガラス基板と、全面にわたって共通電極が形成されたガラス基板との間にＴＮ型液晶を挟み込むとともに、外面に偏光板を配置したアクティブマトリクス型の液晶表示素子である。
【００２２】
また、液晶ライトバルブ６０Ｂ，６０Ｇ，６０Ｒは、電圧非印加状態で白／明（透過）状態、電圧印加状態で黒／暗（非透過）状態となるノーマリーホワイトモードまたはその逆のノーマリーブラックモードで駆動され、与えられた制御値に応じて明暗間の階調がアナログ制御される。液晶ライトバルブ６０Ｂは、入射されたＢ光を表示画像データに基づいて光変調し、光学像を内包した変調光を射出する。液晶ライトバルブ６０Ｇは、入射されたＧ光を表示画像データに基づいて光変調し、光学像を内包した変調光を射出する。液晶ライトバルブ６０Ｒは、入射されたＲ光を表示画像データに基づいて光変調し、光学像を内包した変調光を射出する。
【００２３】
クロスダイクロイックプリズム７０は、４つの直角プリズムが貼り合わされた構造からなり、その内部には、Ｂ光を反射する誘電体多層膜（Ｂ光反射ダイクロイック膜７１）及びＲ光を反射する誘電体多層膜（Ｒ光反射ダイクロイック膜７２）が断面Ｘ字状に形成されている。そして、液晶ライトバルブ６０ＧからのＧ光を透過し、液晶ライトバルブ６０ＲからのＲ光と液晶ライトバルブ６０ＢからのＢ光とを折り曲げてこれらの３色の光を合成し、カラー画像を形成する。
【００２４】
リレーレンズ９０は、クロスダイクロイックプリズム７０で合成された液晶ライトバルブ６０Ｂ，６０Ｇ，６０Ｒからの光学像（光強度分布）を液晶ライトバルブ１００の表示面上に伝達するものである。
液晶ライトバルブ１００は、前述した液晶ライトバルブ６０Ｂ，６０Ｇ，６０Ｒと同等の構成からなり、入射した光の全波長領域の輝度を表示画像データに基づいて変調し、最終的な光学像を内包した変調光を投射レンズ１１０に射出する。
【００２５】
能動光学画素ずらし素子９５（光学系制御部）は、リレーレンズ９０と液晶ライトバルブ１００の間に介挿されており、制御信号により、液晶ライトバルブ６０Ｂ，６０Ｇ，６０Ｒの画素を、液晶ライトバルブ１００の画素に対して半画素分だけ、縦方向（ｘ軸方向）または横方向（ｙ軸方向）にずらすように、光軸をずらす機能を有している。すなわち、半画素分ずらすとは、スクリーンに画像を投写した際、直列に配列されている対応する一方の画素の表示領域に対して、他方の画素の表示領域が相対的に半画素分ずれるように、画素単位で直列に配置された液晶ライトバルブ６０Ｒ，６０Ｇ，６０Ｂの画素と液晶ライトバルブ１００の画素とを半画素分、相対的にずらすことを示している。ここで、横方向（ｙ軸方向）とはスクリーンの上辺及び下辺に対して平行な方向を示し、縦方向（ｘ軸方向）とはスクリーンの上辺及び下辺に対して垂直方向を示している（図１）。
投射レンズ１１０は、液晶ライトバルブ１００の表示面上に形成された光学像を図示しないスクリーン上に投射してカラー画像を表示する。
【００２６】
次に、プロジェクタＰＪ１の全体的な光伝達の流れを説明する。光源１０からの白色光はダイクロイックミラー３０，３５により赤色（Ｒ）、緑色（Ｇ）及び青色（Ｂ）の３原色光に分光されるとともに、平行化レンズ５０Ｂ，５０Ｇ，５０Ｒを含むレンズ及びミラーを介して、液晶ライトバルブ６０Ｂ，６０Ｇ，６０Ｒに入射される。液晶ライトバルブ６０Ｂ，６０Ｇ，６０Ｒに入射した各々の色光はそれぞれの波長領域に応じた外部データに基づいて色変調され、光学像を内包した変調光として射出される。液晶ライトバルブ６０Ｂ，６０Ｇ，６０Ｒからの各変調光は、それぞれクロスダイクロイックプリズム７０に入射し、そこで一つの光に合成され、リレーレンズ９０、を介して液晶ライトバルブ１００に入射される。液晶ライトバルブ１００に入射した合成光は全波長域に応じた外部データに基づいて輝度変調され、最終的な光学像を内包した変調光として、能動光学画素ずらし素子９５を介して、投射レンズ１１０へ射出される。そして、投射レンズ１１０において、液晶ライトバルブ１００からの最終的な合成光を図示しないスクリーン上に投射し所望の画像を表示する。
【００２７】
プロジェクタＰＪ１では、第１光変調素子としての液晶ライトバルブ６０Ｂ，６０Ｇ，６０Ｒで光学像（画像）を形成した変調光を用いて、最終的な表示画像を第２光変調素子としての液晶ライトバルブ１００で形成する形態を採用しており、直列に配置された２つの光変調素子を介して、２段階の画像形成過程によって光源１０からの光を変調する。このとき、利用者が高輝度モードを選択した場合、能動光学画素ずらし素子９５は光軸をずらさず、液晶ライトバルブ６０Ｂ，６０Ｇ，６０Ｒと液晶ライトバルブ１００との対応する画素の位置を合わせて、高輝度の階調表示を行い、一方、高解像度モードを選択した場合、能動光学画素ずらし素子９５は、液晶ライトバルブ６０Ｂ，６０Ｇ，６０Ｒと液晶ライトバルブ１００との対応する画素の位置が半画素分ずれるように光軸をずらし、画素数の倍の解像度の表示を行う。その結果、プロジェクタＰＪ１は、高輝度モードにおいて輝度ダイナミックレンジの拡大と階調数の増大を実現し、高画質モードにおいて高解像度を実現することができる。この高解像度モードの動作については後述する。
【００２８】
ここで、液晶ライトバルブ６０Ｂ，６０Ｇ，６０Ｒ及び液晶ライトバルブ１００はいずれも透過光の強度を変調し、その変調度合いに応じた光学像を内包する点では同じであるが、後者の液晶ライトバルブ１００は全波長域の光（白色光）を変調するのに対して、前者の液晶ライトバルブ６０Ｂ，６０Ｇ，６０Ｒは光分離手段であるダイクロイックミラー３０，３５で分光された特定波長領域の光（Ｒ，Ｇ，Ｂなどの色光）を変調する点で両者は異なっている。したがって、液晶ライトバルブ６０Ｂ，６０Ｇ，６０Ｒで行われる光強度変調を色変調、液晶ライトバルブ１００で行われる光強度変調を輝度変調と便宜的に呼称して区別する。
【００２９】
また、同様の観点から、以下の説明では液晶ライトバルブ６０Ｂ，６０Ｇ，６０Ｒを色変調ライトバルブ、液晶ライトバルブ１００を輝度変調ライトバルブと呼称して区別する場合がある。そして、色変調ライトバルブ及び輝度変調ライトバルブに入力する制御データの内容については後ほど詳述する。
クロスダイクロイックプリズム８０を出射した光束は、投写光学系である投射レンズ１１０に入射し、投写レンズ１１０によってスクリーン１２０に投影される。なお、本実施形態においては、投写光学系（投射レンズ１１０）及びスクリーン１２０を除いた構成を画像表示装置と定義している。
【００３０】
上述したように、本実施形態の２変調光学系においては、前段の３枚の第１光変調手段により、入力される白色光に対して、ＲＧＢの各色毎に色変調を行う。そして、この色変調した光を合成し、後段の第２光変調手段により、合成された光の輝度変調を行う。この結果、数万：１を超える非常に高いコントラストの画像表示が行える（高輝度モードの場合）。
【００３１】
次に、図１のプロジェクタＰＪ１における画像表示の制御（液晶ライトバルブ１００及び色変調部２５における各液晶ライトバルブの制御）を行う画像処理制御部の説明を図２により行う。図２は本実施形態における画像処理制御部の構成例を示すブロック図であり、図３は画像処理制御部における２変調信号処理部である。
２変調信号処理部５は、入力される映像信号の階調度に従い、液晶ライトバルブ１００と色変調部２５における液晶ライトバルブ６０Ｒ，６０Ｇ及び６０Ｂ各々との制御値を決定して、色変調液晶ＬＶ駆動部７，輝度変調液晶ＬＶ駆動部８各々に対して出力する。
ここで、２変調信号処理部５は、色変調液晶ＬＶ駆動部７に対し、非線形に液晶ライトバルブの各画素を制御する制御値（所望の輝度を得るための電圧値に対応）を生成して、順次出力し、同様に、輝度変調液晶ＬＶ駆動部８に対し、液晶ライトバルブ１００の各画素を制御する制御値を生成して、順次出力する。
【００３２】
これにより、色変調液晶ＬＶ駆動部７は、Ｄ／Ａ変換手段を有しており、入力されるデジタルの制御値を、対応するアナログ制御値に変換して、液晶ライトバルブ６０Ｒ,６０Ｂ，６０Ｇ各々の色変調の制御を行う。
同様に、輝度変調液晶ＬＶ駆動部８は、Ｄ／Ａ変換手段を有しており、入力されるデジタルの制御値を、対応するアナログ制御値に変換して、液晶ライトバルブ１００の輝度変調の制御を行う。
【００３３】
モード制御切換部２は、利用者が入力する高輝度モード及び高解像度モードのいずれかを示す命令信号により、モードの検出処理を行い、高輝度モードであることを検出した場合、ウォブリング素子制御部３及び２変調信号処理部５に対して何ら信号を出力せず、一方、高解像度モードであることを検出した場合、ウォブリング素子制御部３及び２変調信号処理部５に対して光軸をずらす制御信号を出力する。
ウォブリング素子制御部３は、上記制御信号が入力されると、能動光学画素ずらし素子９５に対して駆動信号Ｓを出力し、能動光学画素ずらし素子９５を駆動して光軸をずらさせ、すなわちクロスダイクロックプリズム７０から入射する光の光路を、液晶ライトバルブ６０Ｒ,６０Ｂ，６０Ｇ及び液晶ライトバルブ１００の対応する画素と画素とが半画素分ずれるようにずらし、液晶ライトバルブ１００に対して出射するよう制御する。
【００３４】
また、２変調信号処理部５は、高解像度モードを示す制御信号が入力されると、高輝度モードに対して、色変調液晶ＬＶ駆動部７と輝度変調液晶ＬＶ駆動部８の動作を２倍の速度で動作させ、かつ液晶ライトバルブ６０Ｒ,６０Ｂ，６０Ｇ及び液晶ライトバルブ１００における対応する画素と画素とを半画素ずらし、１フレームを２つに時分割し、１フレームの半周期の表示期間を有する第１フレーム及び第２フレームを生成して、第１及び第２フレーム各々において、入力される画素数の半分の画像データそれぞれを、第１フレームにて１画素領域を半分とした一方の半画素領域に表示させ、第２フレームにて残り半分の画素数の画像データを他方の半画素領域に表示する制御を行う（この制御については後述）。
【００３５】
また、信号処理用ＬＵＴ６には、液晶ライトバルブ１００及び液晶ライトバルブ（６０Ｒ,６０Ｂ，６０Ｇ）各々の制御値（後に述べる駆動制御値）を、入力される階調度に対応して決定するルックアップテーブルが設けられている。このルックアップテーブルは、液晶ライトバルブ１００用の第１のルックアップテーブルと、液晶ライトバルブ用の第２のルックアップテーブル設けられており、第２のルックアップテーブルはＲＧＢの各色毎に設けられている。
上記第１のルックアップテーブルと第２のルックアップテーブルとは、階調度と、階調度に対応して設定される制御値（階調度に対応した輝度値とするための）との対応が記憶されている。また、色変換マトリクスには、輝度用の液晶ライトバルブの制御値毎に対応した、ＲＧＢ各色毎に対する階調度の変換テーブルが記憶されている。
【００３６】
これらの制御値は上記液晶ライトバルブ各々の特性を測定して予め求められたものであり、液晶ライトバルブを非線形階調制御するための数値である。
ここで、本実施形態においては、各画像表示装置毎に、各液晶ライトバルブ，光源１０等の固体差に起因する個体表示特性を有している。このため、第１のルックアップテーブル及び第２のルックアップテーブル、さらに色変換マトリクスに記憶させる制御値はそれぞれの画像表示装置毎の個体差に合わせて、測定値から設定された数値であり、各画像表示装置は入力される映像信号に対応した所望の表示特性が得られる。
【００３７】
これにより、２変調信号処理部５は、入力される映像信号の階調度に対応する制御値を、信号処理用ＬＵＴ６における上記第１及び第２のルックアップテーブルを参照することによって決定している。
ここで、前段，後段及び輝度変調，色変調における各液晶ライトバルブのいずれを使用するかの組合せは、本実施形態の構成のみならず、種々のバリエーションにおいても同様な処理が可能である。
【００３８】
次に、本実施形態における２変調信号処理部５における高解像度モードにおける階調表示の処理（半画素ずらしの処理）について、図４を参照して説明する。図４は、所望の表示結果としている図４（ａ）の図が最終的に表示したい階調特性を示したものである。各半画素Ｐ１１，Ｐ１２，Ｐ２１，Ｐ２２，Ｐ３１，Ｐ３２の階調度は、（Ｒ：０〜２５５，Ｇ：０〜２５５，Ｂ：０〜２５５、値が大きいほど明るい）として各色を表した場合、（２５５，０，０），（１５３，２０４，６４），（１２８，６４，１２８），（０，２０４，２５５），（１８５，１１１，０），（０，０，１２８）となっている。
【００３９】
ここで、例えば、Ｐ１１、Ｐ２１、Ｐ３１が奇数番号の画像データであり、Ｐ１２，Ｐ２２，Ｐ３２が偶数番号の画像データとする。２変調信号処理部５には、映像信号として、各画像データが、Ｐ１１，Ｐ１２，Ｐ２１，Ｐ２２，Ｐ３１，Ｐ３２の順番に入力される。各々は横方向に隣接して入力される（横方向：ｙ軸方向に画素をずらす場合の制御に対応）。
一方、色変調ライトバルブ（６０Ｒ，６０Ｇ，６０Ｂ）及び輝度変調ライトバルブ１００を、高輝度モードの場合の倍速にて駆動することにより、この図４（ａ）に示す所望の結果を得る
【００４０】
例えば、倍速の第１フレームにおいて、図３（ｂ）に示すように、色変調液晶ＬＶ駆動部７は、各色変調ライトバルブを、画素Ｐ１，Ｐ２，Ｐ３において、半画素Ｐ１１、Ｐ２２，Ｐ３１の階調に対応する色変調として、（２５５，０，０），（０，２０４，２５５），（１８５，１１１，０）にて制御する。このとき、輝度変調液晶ＬＶ駆動部８は、画素ＫＰ１及びＫＰ３を白表示（２５５、最も輝度を高く）とし、一方、画素ＫＰ２及びＫＰ４を黒表示（０、最も輝度が低い）とし、２変調表示結果として、半画素Ｐ１１，Ｐ２２，Ｐ３１が表示された状態となる。
【００４１】
次に、倍速の第２フレームにおいて、図３（ｃ）に示すように、色変調液晶ＬＶ駆動部７は、各色変調ライトバルブを、画素Ｐ１，Ｐ２，Ｐ３において、半画素Ｐ１２、Ｐ２１，Ｐ３２の階調に対応する色変調として、（１９１，２５５，８０），（１６０，８０，１６０），（０，０，２５５）にて制御する。このとき、輝度変調液晶ＬＶ駆動部８は、画素ＫＰ２及びＫＰ４をそれぞれ階調度「２０４」，「１２８」とし、一方、画素ＫＰ１及びＫＰ３を黒表示（０、最も輝度が低い）とし、２変調表示結果として、半画素Ｐ１２，Ｐ２１，Ｐ３２が表示された状態となる。
【００４２】
上述したように、ウォブリング素子制御部３は、高輝度モードの場合、輝度変調液晶ライトバルブ１００の各画素に対して、液晶ライトバルブの対応する各画素を、能動光学画素ずらし素子９５により半画素ずらす。
このとき、２変調信号処理部５は、例えば入力される画素データを倍速の第１フレームにて表示するのか、第２フレームにて表示するのかを、輝度変調液晶ライトバルブ１００のマスクする位置に対応して決定して、順次、色変調液晶ＬＶ駆動部７に対して、画素毎に出力する。
【００４３】
また、２変調信号処理部５は、半画素ずらす高解像度モードの際、第１及び第２フレームにて、第１フレーム期間に、画素をずらす方向に（本実施形態においてはｙ軸方向）隣接する画素の一方に黒挿入し、第２フレーム期間に隣接する画素の他方に黒挿入する。すなわち、第１フレームにて、隣接する画素において、１つおきに黒挿入を行い、黒表示を行わない画素は対応する階調度の制御を行い、第２フレームにて、第１フレームで黒表示を行った画素を階調制御を行い、逆に階調制御を行った画素に黒表示を行う。
例えば、２変調信号処理部５は、第１フレーム期間、偶数番目の画素に黒表示を行い、奇数番目に対しては対応する階調度に制御し、第２フレーム期間に、奇数番目の画素に黒表示を行い、偶数番目に対しては対応する階調度に制御する。この黒表示を行う順番に対応して、２変調信号処理部５は、第１フレームにて表示する画像データと、第２フレームにて表示する画像データを振り分けることとなる。
【００４４】
これにより、倍速の第１フレームと第２フレームとの各２変調表示結果が、１フレームとして合成されると、図４（ｄ）に示すように、図４（ａ）に示す所望の表示結果を得ることができる。ここで、人間の目には倍速の第１フレームと第２フレームとが合成されて知覚されるため、図４（ａ）の階調表示が行われたように見える。
本実施形態においては、横方向に画素を半画素分ずらして高解像度としたが、縦方向に画素を半画素分ずらして、高解像度の画像を構成してもよい。縦方向に光軸をずらす場合、画像表示の処理としては同様であるが、入力される映像信号において、表示画面における画素の行番号が奇数の画素と偶数の画素とで、第１フレーム及び第２フレームのいずれで表示するかを制御することとなる。
【００４５】
次に、図３を参照して、２変調信号処理部５が行う色変調及び輝度変調処理における、それぞれの表示すべき階調度に対応する制御値の決定処理について説明する。
まず、上述したように、輝度変調液晶ライトバルブ１００において、輝度変調する画素、すなわち黒表示を行わない画素を設定し、その画素に表示すべき制御値（画素値）を決定する。ここでは図４に示すように、輝度変調液晶ライトバルブ１００において、第１フレームの期間、偶数の画素を黒表示し、第２フレームの期間、奇数の画素を黒表示する。
倍速の第１フレームの期間における処理の説明として、図４（ｂ）の輝度変調表示の左から３番目の画素ＫＰ３を例にとって説明する。この輝度変調を行う画素に対応する表示結果は、半画素Ｐ２２（０，２０４，２５５）と半画素Ｐ３１（１８５，１１１，０）とである。
【００４６】
２変調信号処理部５は、この半画素Ｐ２２及び半画素３１におけるＲ，Ｇ，Ｂの６個のなかの階調度の最大値を求める。図３から見ると、半画素Ｐ２２（Ｒ１，Ｇ１，Ｂ１)＝（０，２０４，２５５)、半画素Ｐ３１（Ｒ２，Ｇ２，Ｂ２）＝（１８５，１１１，０）であるから、２変調信号処理部５は、これら６個の値から最大値選択ブロックにより、階調度の最大値ＭＡＸＲＧＢを求める。この場合、階調度選択ブロックは最大値ＭＡＸＲＧＢとして２５５を選択する。
【００４７】
次に、２変調信号処理部５は、このＭＡＸＲＧＢにより、ＭＡＸＲＧＢ−Ｔ−１Ｄ  ＬＵＴを参照して、このＭＡＸＲＧＢ対応した制御値を選択し、この制御値を輝度変調ライトバルブ１００を駆動する制御値Ｔとして決定する。
このＭＡＸＲＧＢ−Ｔ−ＩＤは、輝度変調ライトバルブ１００の制御値を決定するためのＬＵＴであり、輝度変調ライトバルブ１００の色ごとの特性の違いを補償する役目を果たしている。ただし、図３においては、説明を簡略にするためＭＡＸＲＧＢ−Ｔ−１Ｄが線形の対応関係を有するものを使用した。つまり、ＭＡＸＲＧＢ＝２５５であるならば、制御値Ｔ＝２５５となる。
【００４８】
次に、２変調信号処理部５は、輝度変調ライトバルブ１００の制御値Ｔを決定した後、映像信号（Ｒ１，Ｇ１，Ｂ１），（Ｒ２，Ｇ２，Ｂ２）に対して、上記制御値Ｔに対応した色マトリクスを選択し、逆γ補正部において各映像信号の逆γ補正を行い、線形特性に変更した後の（Ｒ１’，Ｇ１’，Ｂ１’），（Ｒ２’，Ｇ２’，Ｂ２’）により、選択した色変換マトリクスを参照して、色変調Ｌ／Ｖの制御値を決定する処理を行う。色変換マトリクスは輝度変調ライトバルブの制御値ごとの特性に応じた値となっており、輝度変調ライトバルブが制御値Ｔで表示される場合に、所望の入力ＲＧＢに対応した表示を行うために色変調ライトバルブに対し、どのような値を表示すればよいかを求めることができる色変換マトリクスとなっている。
【００４９】
そして、輝度液晶ライトバルブの制御値Ｔ（すなわち輝度値）に対応した色変換マトリクスにより、（Ｒ１’，Ｇ１’，Ｂ１’），（Ｒ２’，Ｇ２’，Ｂ２’）に対応した変換値として、（Ｒ１”，Ｇ１”，Ｂ１”），（Ｒ２”，Ｇ２”，Ｂ２”）が求められる。
また、第２のルックアップテーブル（Ｒ−ＶＴ−ＬＵＴ，Ｇ−ＶＴ−ＬＵＴ，Ｂ−ＶＴ−ＬＵＴ）には、上記変換値（Ｒ１”，Ｇ１”，Ｂ１”），（Ｒ２”，Ｇ２”，Ｂ２”）に対応した各色変調液晶ライトバルブ（５０Ｒ，５０Ｇ，５０Ｂ）の制御値が記憶されている。この第２のルックアップテーブルにて、色変調液晶ライトバルブを入力されたγ値に対応させるため、γ補正が掛かった状態に変更される。
【００５０】
本実施形態の例において説明を簡潔にするため、Ｔ＝２５５の場合は最大透過率であるので、所望の表示結果と同じ値を色変調ライトバルブの制御値とする。
すなわち、半画素Ｐ２２（０，２０４，２５５），半画素Ｐ３１（１８５，１１１，０）である。これで、２変調表示結果として、半画素Ｐ２２（０，２０４，２５５），半画素Ｐ３１（１８５，１１１，０）が得られる。
【００５１】
次に、倍速の第２フレームの期間における処理の説明として、図４（Ｃ）の輝度変調表示の左から２番目の画素ＫＰ２を例にとって説明する。この輝度変調を行う画素に対応する表示結果は、半画素Ｐ１２（１５３，２０４，６４）と半画素Ｐ２１（１２８，６４，１２８）とである。この半画素Ｐ１２及び半画素２１におけるＲ，Ｇ，Ｂの６個の階調度の最大値を求める。図３から見ると、半画素Ｐ１２（Ｒ１，Ｇ１，Ｂ１)＝（１５３，２０４，６４)、半画素Ｐ２１（Ｒ２，Ｇ２，Ｂ２）＝（１２８，６４，１２８）であるから、これら６個の値から最大値選択ブロックにより、階調度の最大値ＭＡＸＲＧＢを求める。この場合、階調度選択ブロックは最大値ＭＡＸＲＧＢとして２０４を選択する。
次に、このＭＡＸＲＧＢからＭＡＸＲＧＢ−Ｔ−１Ｄ  ＬＵＴを参照して、輝度変調ライトバルブ１００を駆動する制御値Ｔを決定する。
【００５２】
この場合、制御値Ｔは２０４となる。図３においては説明を簡略にするためＭＡＸＲＧＢ−Ｔ−１Ｄが、上述したように、線形であるものを使用した。つまり、ＭＡＸＲＧＢ＝２０４ならば、単純に制御値Ｔ＝２０４として抽出される。ここでも、図３のように制御値Ｔに対応した色変換マトリクスをそれぞれ選択し、色変換マトリクス計算などの処理を行うことによって、色変調制御値を決定する。
図４（ｃ）の例においては、Ｐ１（１９１，２５５，８０）となり、Ｐ２（１６０，８０，１６０）と、変換マトリクスにより求められる。
結果として、２変調表示結果として所望の（１５３，２０４，６４）、（１２８，６４，１２８）という結果を得る。これで、輝度変調ライトバルブ１００にて、輝度値を落とす（透過率を落とす）分、色側の色変調ライトバルブの輝度値を明るくし、最終的な２変調表示結果が決定される。
【００５３】
上述した処理は、２変調信号処理部５が、信号処理用データ部６に記憶されている色変換マトリクスのテーブル，第１のルックアップテーブルであるＭＡＸＲＧＢ−Ｔ−１Ｄ，第２のルックアップテーブルを参照することにより行う。
逆γ補正及び最大値選択の処理は、２変調信号処理部５内に設けられてた逆γ補正部及び最大値選択ブロック各々により行われる。
また、変換マトリクス，第１のルックアップテーブル及び第２のルックアップテーブルは、信号処理用データ部６に記憶されている。
【００５４】
次に、図２に示す本実施形態による画像処理制御部の処理の流れを簡単に説明する。
例えば、７２０Ｐ（１２８０×７２０）等の映像信号が入力されると、２変調信号処理部５は、色変調ライトバルブ（６０Ｒ，６０Ｇ，６０Ｂ）および輝度変調ライトバルブ１００を駆動するための制御値を生成し、その制御値をそれぞれ対応する色変調液晶ＬＶ駆動部７，輝度変調液晶ＬＶ駆動部８へ出力する。
これにより、色変調液晶ＬＶ駆動部７及び輝度変調液晶ＬＶ駆動部８各々は、それぞれ色変調液晶ライトバルブ６０Ｒ，６０Ｇ，６０Ｂ及び輝度変調液晶ライトバルブ１００を駆動する。
【００５５】
また、モード切替制御部２は、利用者の指示により、通常画質モード（すなわち高輝度モード）と、高画素モード（高解像度モード）とを切り替えるための制御信号をウォブリング素子制御部３に対して出力する。
利用者が高画素モードを指定して場合、ウォブリング素子駆動部３は、能動光学画素ずらし素子であるウォブリング素子を制御し、各色変調ライトバルブの画素の像を、輝度変調ライトバルブの画素と半画素ずらして結像させる。
また、表示制御も上述したような倍速駆動を行い、時間的に１フレームを２つに分割した制御を行う必要があるため、モード切換制御部２は、利用者が高画素モードに設定した場合、２変調信号処理部５に対しても、制御信号を出力して、対応する処理を要求する。
【００５６】
これにより、２変調信号処理部５は、図３で説明した倍速処理を、各液晶ライトバルブの制御としての２変調信号分配と共に行うこととなる。
なお、図２において、信号処理用データ部６に記憶されている各ルックアップテーブルの数値は、画像表示装置個々のハード構成要素のばらつきによって生じる個体特性を補償し、所望の表示結果を得るための個体特性に対応したＬＵＴ（ルックアップテーブル）や色変換マトリクス等の色処理用特性データである。
【００５７】
上記において通常の画素モードを「高輝度モード」とした理由として、図４で明らかなように、半面素ずらしの高画素モードにおいて、輝度変調ライトバルブ１００は高画素の１画素について見た場合には、倍速フレームのいずれかは黒にしているため、最終的な表示の明るさは約半分になってしまう。そのため、本実施形態例においては輝度値を落としても、高画素（高解像度）モードを使用する場合と、画素数は少なくても高輝度で表示する二つのモードの切り替えを可能とし、利用者の設定によって、モードを切り替えることにより、利用者が任意にコンテンツや視環境に対応した最適な画質を選択することが可能な機能を提供することができる。
【００５８】
また、本実施形態において、能動光学画素ずらし素子（ウォブリング素子）９５としては、強誘電性液晶と水晶板とを用いた液晶素子を使用している。しかしながら、能動光学画素ずらし素子９５は、このウォブリング素子に限定されるわけではなく、同等の機能を有する音響光学素子、ガルバノミラー、ＭＥＭＳミラーアレイ等を用いることができる。また、能動光学画素ずらし素子のように光学的に画素をずらすのではなく、メカ的に光変調素子をずらす（機械的な機構により画素ずらす）ことによって、画素ずらしを実現しても良い。
さらに、常に高画素（高解像度）モードにて表示する場合には、能動光学画素ずらし素子９５そのものを使用する必要が無く、メカアライメントにより２つの液晶ライトバルブの光軸を半画素ずらして配置すれば良い。
また、上述した実施形態においては、第１の光学変調素子が色変調を行うものとし、第２の光学変調素子が輝度変調を行ものとして説明したが、第１の光学変調素子が輝度変調を行うものとし、第２の光学変調素子が色変調を行うものとして構成しても良い。
【００５９】
なお、図２における第２変調信号処理部５と、色変調液晶ＬＶ駆動部７及び輝度変調液晶ＬＶ駆動部８におけるデジタル／アナログ変換を除く処理と機能を実現するためのプログラムをコンピュータ読み取り可能な記録媒体に記録して、この記録媒体に記録されたプログラムをコンピュータシステムに読み込ませ、実行することにより、画像表示制御の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６１】
【図１】本発明の実施形態による画像表示装置を用いたプロジェクタのハード構成を示す概念図である。
【図２】本発明の実施形態による画像処理部の構成例を示すブロック図である。
【図３】図２における２変調信号処理部５の動作を説明する概念図である。
【図４】本実施形態の高画素モードにおける画素ずらしを用いて、実質的に表示する画素数を増加させる方法を説明する概念図である。
【符号の説明】
【００６２】
２…モード切替制御部  ３…ウォブリング素子制御部  ５…２変調信号処理部  ６…信号処理用ＬＵＴ  ７…色変調液晶ＬＶ駆動部  ８…輝度変調素子駆動部  ６０Ｒ，６０Ｇ，６０Ｂ…液晶ライトバルブ  ９５…能動光学画素ずらし素子  １００…反射型光変調素子
【図１】
2007241097.tif 000003
【図２】
2007241097.tif 000004
【図３】
2007241097.tif 000005
【図４】
2007241097.tif 000006